Podtech/llm-jp-corpus-v4-ja_patent huggingface dataset:
【手続補正書】
【提出日】平成17年10月25日(2005.10.25)
【手続補正１】
【補正対象書類名】明細書
【補正対象項目名】特許請求の範囲
【補正方法】変更
【補正の内容】
【特許請求の範囲】
【請求項１】  表示領域に入射した光を空間的に変調して出力する空間光変調装置であって、
前記表示領域に、スイッチング素子を有する表示画素が形成されるとともに、前記スイッチング素子と同一基板上の表示領域周端外側に近接して光検出素子が設けられており、
前記光検出素子とスイッチング素子とが、同一基板上に形成された半導体層からなる能動層を有していることを特徴とする空間光変調装置。
【請求項２】  前記光検出素子と、前記表示画素を駆動制御するための駆動回路とが接続され、前記駆動回路により前記光検出素子が駆動制御されることを特徴とする請求項１に記載の空間光変調装置。
【請求項３】  前記駆動回路から前記スイッチング素子に対してスイッチング信号を供給する走査線に、前記光検出素子が接続されており、１本の前記走査線に複数の光検出素子が接続されていることを特徴とする請求項２に記載の空間光変調装置。
【請求項４】  前記光検出素子が、前記表示領域に対して略対称に配置されていることを特徴とする請求項１ないし３のいずれか１項に記載の空間光変調装置。
【請求項５】  前記光検出素子が、前記表示領域を取り囲んで形成された遮光領域内に形成されていることを特徴とする請求項１ないし４のいずれか１項に記載の空間光変調装置。
【請求項６】  前記光検出素子が、特定波長域の光の強度を検出可能に構成されていることを特徴とする請求項１ないし５のいずれか１項に記載の空間光変調装置。
【請求項７】  複数の前記光検出素子に接続され、前記各光検出素子からの光検出信号を演算する演算回路が設けられていることを特徴とする請求項１ないし６のいずれか１項に記載の空間光変調装置。
【請求項８】  前記演算回路が、前記光検出素子により検出された各波長域の光強度の差分値を算出する機能を有することを特徴とする請求項７に記載の空間光変調装置。
【請求項９】  請求項１ないし８のいずれか１項に記載の空間光変調装置と、該空間光変調装置に光源の光を照射する照明系と、前記空間光変調装置の光検出素子から出力される光検出信号に基づき、前記光源の出力を制御する光源制御系を備えていることを特徴とする表示装置。
【請求項１０】  前記照明系に、発光色の異なる複数の光源が設けられていることを特徴とする請求項９に記載の表示装置。
【請求項１１】  請求項９または請求項１０に記載の表示装置と、該表示装置により変調された光を投射する投射系とを備えたことを特徴とするプロジェクタ。
【請求項１２】  発光色の異なる複数の光源から放射される複数の色光を合成して放射する照明系と、該照明系から照射された光を変調する空間光変調装置とを備えた表示装置の調光方法であって、
前記空間光変調装置の表示領域周端外側に近接して特定波長域の光強度を検出可能な光検出素子が複数設けられ、前記光検出素子の光検出信号に基づき前記光源の出力を制御する光源制御系が設けられている表示装置を用い、
前記空間光変調装置に照射された光に含まれる各色光の強度を、各色光に対応する前記光検出素子により検出し、得られた色光強度に基づき、前記光源制御系により対応する色光を発する前記光源の出力を制御することを特徴とする表示装置の調光方法。
【請求項１３】  発光色の異なる複数の光源を備えた照明系と、前記各光源から照射された各色光を変調する複数の空間光変調装置とを備えた表示装置の調光方法であって、
前記空間光変調装置の表示領域周端外側に近接して複数の光検出素子が設けられ、前記光検出素子の光検出信号に基づき前記光源の出力を制御する光源制御系が設けられている表示装置を用い、
前記各空間光変調装置に照射された色光の強度を前記光検出素子により検出し、得られた色光強度に基づき、前記光源制御系により、前記各空間光変調装置に対応する各光源の出力を制御することを特徴とする表示装置の調光方法。
【請求項１４】  光源の光を複数の色光に分離して放射する照明系と、該照明系から照射された前記各色光を変調する複数の空間光変調装置とを備えた表示装置の調光方法であって、
前記空間光変調装置の表示領域周端外側に近接して複数の光検出素子が設けられ、前記光検出素子の光検出信号に基づき前記光源の出力を制御する光源制御系が設けられている表示装置を用い、
前記各空間光変調装置に照射された色光の強度を前記光検出素子により検出し、得られた色光強度に基づき、前記光源制御系により、前記光源の出力を制御することを特徴とする表示装置の調光方法。
【請求項１５】  主光源と、特定の色光を発する１つ又は複数の補助光源とを備えた光源の光を複数の色光に分離して放射する照明系と、該照明系から照射された前記各色光を変調する複数の空間光変調装置とを備えた表示装置の調光方法であって、
前記空間光変調装置の表示領域周端外側に近接して複数の光検出素子が設けられ、前記光検出素子の光検出信号に基づき前記光源の出力を制御する光源制御系が設けられている表示装置を用い、
前記各空間光変調装置に照射された色光の強度を前記光検出素子により検出し、得られた色光強度に基づき、前記光源制御系により、前記主光源又は補助光源の出力を制御することを特徴とする表示装置の調光方法。
【手続補正書】
【提出日】平成17年10月27日(2005.10.27)
【手続補正１】
【補正対象書類名】特許請求の範囲
【補正対象項目名】請求項１
【補正方法】変更
【補正の内容】
【請求項１】
タンパク質の同定のための方法であって、
（ａ）微生物を含有する溶液を、微生物が破砕される状態に曝露し、破砕された微生物の内容物を該溶液中に導出するステップであって、前記破砕が、化学処理、ホーリン（細胞表面穿孔剤；holins）、酵素処理、凍結解凍サイクル、バクテリオファージ感染、プラズマ放出及び物理的処理から成る群から選択される手段によってなされるステップと、
（ｂ）前記タンパク質分析対象物を含有する溶液を、光安定なリンカーで基材表面に共有結合的にテザーした、所望の前記分析対象物に対する特異的リガンドに曝露するステップと、
（ｃ）結合した分析対象物を、前記分析対象物を含有する溶液中の非結合成分から物理的分離によって分離するステップと、
（ｄ）リガンドにテザーされた基材表面を、リガンドが基材表面から少なくとも４０Åの距離にテザーされて、分析対象物の結合に関して調べるステップとを含む方法。
【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】描画装置及びその制御方法、並びにコンピュータプログラム及びコンピュータ可読記憶媒体
【手続補正２】
【補正対象書類名】明細書
【補正対象項目名】特許請求の範囲
【補正方法】変更
【補正の内容】
【特許請求の範囲】
【請求項１】
座標入力手段を有する複数の端末と通信可能であって、各端末より入力された座標データに基づく描画結果を共通の表示装置に表示する描画装置であって、
前記複数の操作端末と通信する通信手段と、
各操作端末毎に仮想的な描画レイヤを確保する確保手段と、
前記通信手段を介して座標データを受信した場合、送信元である操作端末を特定し、当該特定された送信元に割り当てた描画レイヤに対して前記座標データに基づく描画を行う描画手段と、
該描画手段での描画処理で描画された複数の描画レイヤを合成する合成手段と、
該合成手段の合成結果を共通の表示装置に出力する出力手段と
を備えることを特徴とする描画装置。
【請求項２】
前記送信端末それぞれのための座標入力の指標となるリモートカーソルイメージを、互いに異なる形態で描画する第２の描画手段を備えることを特徴とする請求項１に記載の描画装置。
【請求項３】
更に、前記合成手段での合成結果を、各操作端末の表示画面に表示させるため、送信する送信手段を備えることを特徴とする請求項１に記載の描画装置。
【請求項４】
更に、描画装置の制御を行うための指示手段と、
前記共通の表示装置とは別体の第２の表示装置と、
前記指示手段及び前記第２の表示手段を用いて前記描画レイヤに関するパラメータを変更する変更手段とを備えることを特徴とする請求項１乃至３のいずれか１項に記載の描画装置。
【請求項５】
前記変更手段は、各描画レイヤのサイズ、位置、表示／非表示の少なくとも１つのパラメータを変更することを特徴とする請求項４に記載の描画装置。
【請求項６】
座標入力手段を有する複数の端末と通信可能であって、各端末より入力された座標データに基づく描画結果を共通の表示装置に表示する描画装置の制御方法であって、
前記複数の操作端末と通信する通信工程と、
各操作端末毎に仮想的な描画レイヤを確保する確保工程と、
前記通信工程を介して座標データを受信した場合、送信元である操作端末を特定し、当該特定された送信元に割り当てた描画レイヤに対して前記座標データに基づく描画を行う描画工程と、
該描画工程での描画処理で描画された複数の描画レイヤを合成する合成工程と、
該合成工程の合成結果を共通の表示装置に出力する出力工程と
を備えることを特徴とする描画装置の制御方法。
【請求項７】
座標入力手段を有する複数の端末と通信可能であって、各端末より入力された座標データに基づく描画結果を共通の表示装置に表示する描画装置として機能するコンピュータプログラムであって、
前記複数の操作端末と通信する通信手段と、
各操作端末毎に仮想的な描画レイヤを確保する確保手段と、
前記通信手段を介して座標データを受信した場合、送信元である操作端末を特定し、当該特定された送信元に割り当てた描画レイヤに対して前記座標データに基づく描画を行う描画手段と、
該描画手段での描画処理で描画された複数の描画レイヤを合成する合成手段と、
該合成手段の合成結果を共通の表示装置に出力する出力手段
として機能することを特徴とするコンピュータプログラム。
【請求項８】
請求項７に記載のコンピュータプログラムを格納することを特徴とするコンピュータ可読記憶媒体。
【手続補正３】
【補正対象書類名】明細書
【補正対象項目名】００１１
【補正方法】変更
【補正の内容】
【００１１】
【課題を解決するための手段】
この課題を解決するため、例えば本発明の描画装置は以下の構成を備える。すなわち、
座標入力手段を有する複数の端末と通信可能であって、各端末より入力された座標データに基づく描画結果を共通の表示装置に表示する描画装置であって、
前記複数の操作端末と通信する通信手段と、
各操作端末毎に仮想的な描画レイヤを確保する確保手段と、
前記通信手段を介して座標データを受信した場合、送信元である操作端末を特定し、当該特定された送信元に割り当てた描画レイヤに対して前記座標データに基づく描画を行う描画手段と、
該描画手段での描画処理で描画された複数の描画レイヤを合成する合成手段と、
該合成手段の合成結果を共通の表示装置に出力する出力手段とを備える。
【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
カメラ本体に設けられた光学部材の前面を覆う閉じ位置と前記光学部材の前面から退避する開き位置との間で移動可能であるとともに、前記開き位置よりも退避方向に移動可能なバリア手段と、
このバリア手段の位置を検出するための位置検出手段と、
この位置検出手段の出力に基づいて前記バリア手段が前記開き位置にあることを判別したときに前記カメラ本体を撮影可能なモードに設定する制御手段と、
前記バリア手段が前記閉じ位置と前記開き位置との間にあるとき、および前記バリア手段が前記開き位置よりも退避方向の位置にあるときに前記制御手段を起動させる起動手段とを有することを特徴とするカメラ。
【請求項２】
前記開き位置よりも退避方向にある前記バリア手段を前記開き位置の方向に付勢する付勢手段を有することを特徴とする請求項１に記載のカメラ。
【請求項３】
前記起動手段は、スイッチ操作部材と、該スイッチ操作部材との当接によって前記制御手段の起動を許可するスイッチとを有し、
前記スイッチ操作部材は、前記バリア手段に形成されたカムと係合し、前記バリア手段の移動に応じて前記スイッチと当接する位置と前記スイッチと当接しない位置との間で移動可能であることを特徴とする請求項１又は２に記載のカメラ。
【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】
試料を保持する検体容器と、
該検体容器中の試料を分取する試料分注機構と、
該検体容器を該試料分注機構の試料分取位置まで移送する検体容器移送機構と、
前記試料分注機構により分取された試料を吐出し、試薬と混合させる反応容器と、
該反応容器での反応を測定する測定機構と、を備えた自動分析装置において、
前記検体容器に該容器中の試料を識別するための情報を記録した情報記録媒体を貼付し、
前記試料分注機構による試料の分取の前に該情報記録媒体に記録された情報を読み取り前記検体容器中の試料を識別し、
その後、前記試料分注機構による試料の分取の直前または直後に、再度前記検体容器に貼付された情報記録媒体に記録された情報を読み取ることにより該検体容器中の試料の識別を行い、
分注直前以前または直後に識別された試料と、今分取しようとしている、又は分取を終えた試料が同じものであることを確認する機構を備えたことを特徴とする自動分析装置。
【請求項２】
請求項１記載の自動分析装置において、
今分取しようとしている試料が以前識別された試料と同じ場合のみ前記試料分注機構により該試料を分取する機能を備えたことを特徴とする自動分析装置。
【請求項３】
請求項１記載の自動分析装置において、
今分取しようとしている試料が以前識別された試料と同じ場合のみ前記試料分注機構により該試料を分取する機能を備えたことを特徴とする自動分析装置。
【請求項４】
請求項１記載の自動分析装置において、
分取が終了した試料が以前識別された試料と異なる場合は警告を発する機能を備えたことを特徴とする自動分析装置。
【請求項５】
請求項１〜４のいずれかに記載の自動分析装置において、
前記検体容器移送機構は、複数の前記検体容器を円周上に載置可能であり、かつ回転させることにより前記検体分注機構の試料分取位置まで移送するものであることを特徴とする自動分析装置。
【請求項６】
請求項１〜３のいずれかに記載の自動分析装置において、
前記検体容器移送機構は、複数の前記検体容器を円周上に載置可能であり、かつ回転させることにより前記検体分注機構の試料分取位置まで移送するものであることを特徴とする自動分析装置。
【請求項７】
請求項１記載の自動分析装置において、
前記試料分注機構により試料の分取の直前に、再度前記検体容器に貼付された情報記録媒体に記録された情報を読み取った後は、前記検体分注機構が前記検体容器から試料を分取するまでの間に、検体容器が検体容器移送機構から取り出せないようにカバーを設けたことを特徴とする自動分析装置。
【請求項８】
試料を保持する検体容器と、
該検体容器中の試料を分取する試料分注機構と、
該検体容器を該試料分注機構の試料分取位置まで移送する検体容器移送機構と、
前記試料分注機構により分取された試料を吐出し、試薬と混合させる反応容器と、
該反応容器での反応を測定する測定機構と、を備えた自動分析装置において、
前記検体容器に該容器中の試料を識別するための情報を記録した情報記録媒体を貼付し、かつ
前記検体容器移送機構は、複数の前記検体容器を円周上に載置可能であり、かつ回転させることにより前記検体分注機構の試料分取位置まで移送するものであって、
更に、前記検体移送機構の円周上の検体容器載置可能ポジションの検体容器があるかどうかを該検体容器載置可能ポジションに電磁波を照射し、その反射波を検知して検知する試料容器検知機構を備え、
かつ該反射波を検知するタイミングを指示するタイミング発生機構を備え、
該タイミング発生機構から発生する検知タイミングに基づき検知した反射波の出力を記憶し、この記憶された出力に基づいて前記円周上の検体容器載置可能ポジションの検体容器があるかどうかを判断する機構を備えたことを特徴とする自動分析装置。
【請求項９】
請求項８記載の自動分析装置において、
容器がセットされているのに検体識別ラベル情報の読み取りが失敗しているポジションのみ、再度識別情報の読取動作を行い、その再読み取りの際のサンプルディスクの回転速度は初回の読取動作時の回転速度よりも低速であることを特徴とする自動分析装置。
【請求項１０】
請求項７記載の自動分析装置において、
前記カバーは更に、前記試料分注機構のプローブ先端の動作軌跡の少なくとも一部を覆う部分を備えたことを特徴とする自動分析装置。
【請求項１１】
請求項７または１０記載の自動分析装置において、
前記カバーは前記検体容器移送機構上の検体容器を取り出し可能なように該検体容器移送機構上から移動可能な機構を備えたことを特徴とする自動分析装置。
【請求項１２】
請求項１１記載の自動分析装置において、
前記カバーが移動したことを検知する移動検知器を備え、該移動検知器がカバーの移動を検知した場合には、前記試料分注機構は分注動作を行わないようにする機構を備えたことを特徴とする自動分析装置。
【請求項１３】
請求項７，１１，１２のいずれかに記載の自動分析装置において、
前記カバーは導電性材料から構成されていることを特徴する自動分析装置。
【手続補正書】
【提出日】平成17年7月8日(2005.7.8)
【手続補正１】
【補正対象書類名】明細書
【補正対象項目名】請求項２
【補正方法】変更
【補正の内容】
【請求項２】
ライン状のＸ線を照射するＸ線源と、前記Ｘ線源から照射されたＸ線を検出するように前記Ｘ線源に対向して配置されたＸ線検出部と、容器に収容された検査対象物が前記Ｘ線源からのＸ線を横切るように検査対象物を水平方向に移動させる搬送機構とを備え、前記Ｘ線源からのＸ線が検査対象物を透過した後の前記Ｘ線検出部によるＸ線検出強度に基づいて検査対象物内の異物の有無を判定するＸ線異物検査装置において、
前記搬送機構は前記Ｘ線が横切る位置に隙間をもっていることを特徴とするＸ線異物検査装置。
【手続補正２】
【補正対象書類名】明細書
【補正対象項目名】００２４
【補正方法】変更
【補正の内容】
【００２４】
検査対象物２が異物３を含んでいる場合は、その異物３がＸ線照射位置を通過するとき、図３（ｃ）に示されるように、異物部分のラインセンサ信号波形ｓｘが信号処理部１０に設定されたしきい値レベルＶ0の電圧を下回るので、信号処理部１０は異物があると判定する。
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
基板上に、赤外線吸収による温度変化に応じて電気特性が変化する温度センサと、前記温度センサを断熱的に支持すると共に前記温度センサから電気信号を読み出す配線となる断熱支持脚と、前記温度センサに熱的に接触して形成された赤外線吸収層を備えた熱型赤外線検出器であって、
前記温度センサと前記断熱支持脚と前記赤外線吸収層とが、互いに空間的に分離した異なる平面内に形成されていることを特徴とする熱型赤外線検出器。
【請求項２】
前記温度センサと前記赤外線吸収層が、赤外線の入射方向から見て、前記断熱支持脚と重なる領域にも形成されたことを特徴とする請求項１に記載の熱型赤外線検出器。
【請求項３】
前記温度センサと前記赤外線吸収層が、赤外線の入射方向から見て、前記断熱支持脚の略全面を覆う領域に形成されたことを特徴とする請求項２に記載の熱型赤外線検出器。
【請求項４】
赤外線の入射方向から見て、前記赤外線吸収層、前記断熱支持脚、前記温度センサの順序で形成されていることを特徴とする請求項１乃至３のいずれか１項に記載の熱型赤外線検出器。
【請求項５】
前記温度センサが、単一又は直列接続した複数のダイオードを備えたことを特徴とする請求項１乃至４のいずれか１項に記載の熱型赤外線検出器。
【請求項６】
前記温度センサが、トランジスタを備えることを特徴とする請求項１乃至５のいずれか１項に記載の熱型赤外線検出器。
【請求項７】
前記基板が単結晶シリコンから成り、前記温度センサが、前記基板上に絶縁薄膜を介して形成された単結晶シリコン薄膜に形成されたことを特徴とする請求項１乃至６のいずれか１項に記載の熱型赤外線検出器。
【請求項８】
前記温度センサの下方にある基板の一部が除去されたことを特徴とする請求項１乃至７のいずれか１項に記載の熱型赤外線検出器。
【請求項９】
前記温度センサが、抵抗ボロメータで構成されたことを特徴とする請求項１乃至４のいずれか１項に記載の熱型赤外線検出器。
【請求項１０】
基板上に、温度変化に応じて電気特性が変化する温度センサを形成する工程と、
前記温度センサを覆い、かつ、前記基板と一部が接触した第１犠牲層を形成する工程と、
前記第１犠牲層を部分的に除去して、前記温度センサの一部を露出させる工程と、
前記第１犠牲層の上に、該第１犠牲層から露出した温度センサに電気接続するように配線層を形成する工程と、
前記配線層を覆い、かつ、前記第１犠牲層と一部が接触した第２犠牲層を形成する工程と、
前記第２犠牲層と前記第１犠牲層を部分的に除去して貫通孔を形成する工程と、
前記第２犠牲層の上に、前記貫通孔を通じて前記温度センサに直接又は絶縁層を介して接続した赤外線吸収層を形成する工程と、
前記第２犠牲層、前記第１犠牲層、及び前記温度センサ下方の前記基板の一部を除去する工程と、
を備えた熱型赤外線検出器の製造方法。
【請求項１１】
基板上に、第１犠牲層を形成する工程と、
前記第１犠牲層の上に温度変化に応じて電気特性が変化する温度センサを形成する工程と、
前記温度センサを覆い、かつ、前記第１犠牲層と一部が接触した第２犠牲層を形成する工程と、
前記第２犠牲層を部分的に除去して、前記温度センサの一部を露出させる工程と、
前記第２犠牲層の上に、該第２犠牲層から露出した温度センサに電気接続するように配線層を形成する工程と、
前記配線層を覆い、かつ、前記第２犠牲層と一部が接触した第３犠牲層を形成する工程と、
前記第３犠牲層と前記第２犠牲層を部分的に除去して貫通孔を形成する工程と、
前記第３犠牲層の上に、前記貫通孔を通じて前記温度センサに直接又は絶縁層を介して接続した赤外線吸収層を形成する工程と、
前記第３犠牲層、前記第２犠牲層、及び前記第１犠牲層を除去する工程と、
を備えた熱型赤外線検出器の製造方法。
【請求項１２】
請求項１乃至９のいずれか１項に記載された熱型赤外線検出器を２次元に配列して形成された赤外線フォーカルプレーンアレイ。
【請求項１３】
請求項５に記載された熱型赤外線検出器を２次元に配列して形成された赤外線フォーカルプレーンアレイであって、
前記ダイオードに順バイアス状態で一定電流を流し、赤外線の量に応じて発生するダイオード両端電圧の変化を画像信号として検出することを特徴とする赤外線フォーカルプレーンアレイ。
【請求項１４】
さらに、前記熱型赤外線検出器と同等の温度−電圧特性を有し、入射した赤外線によっては実質的に温度が変化しない参照用温度センサと、
前記熱型赤外線検出器からの信号電圧と前記参照用温度センサからの信号電圧の差分を入力する差動入力装置を備えたことを特徴とする請求項１３に記載の赤外線フォーカルプレーンアレイ。
【手続補正２】
【補正対象書類名】明細書
【補正対象項目名】００１２
【補正方法】変更
【補正の内容】
【００１２】
【特許文献１】米国特許第５，２８６，９７６号明細書
【特許文献２】特開平５−２０６５２６号公報
【特許文献３】米国特許第６，１４４，０３０号明細書
【特許文献４】米国特許第５，９７７，６０３号明細書
【特許文献５】米国特許第６，４６５，７８４号明細書
【特許文献６】特開２０００−３２１１２５号公報
【特許文献７】米国特許第５，７６０，３９８号明細書
【非特許文献１】T.Ishikawa, M. Ueno, K.Endo, Y. Nakaki, 「従来のシリコンＩＣプロセスを用いた低コスト３２０×２４０非冷却ＩＲＦＰＡ」, Part of the SPIE Confeernce on Infrared Technology and Applications XXV,米国,1999年4月, SPIE Vol. 3698, pp.556-564
【手続補正書】
【提出日】平成17年8月17日(2005.8.17)
【手続補正１】
【補正対象書類名】明細書
【補正対象項目名】００３８
【補正方法】変更
【補正の内容】
【００３８】
熱間塑性の指標として圧延後の介在物の変形比ｐ（＝長さ／幅）を用いた。介在物が全く変形しない場合、ｐ＝１となる。介在物が鋼素地と全く同一に延伸される場合、変形比ｐは棒、線圧延における鍛錬比ｎ（＝加工前断面積／加工後断面積）との間に（１）式の関係が成り立つ。
ｐ＝ｎ×√ｎ・・・・・（１）
介在物は通常、鋼ほど延伸されないので変形比ｐは１と上記式からの計算値の中間に分布する。
【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】
フェノール系樹脂粘結剤を耐火骨材に混合して調製されるレジンコーテッドサンドを型内に充填し、この型内に蒸気圧が１．５〜１０ｋｇｆ／ｃｍ２の水蒸気を吹き込んでフェノール系樹脂粘結剤を硬化させることを特徴とする鋳型の製造方法。
【請求項２】
耐火骨材に混合して耐火骨材の表面に被覆されたフェノール系樹脂粘結剤が室温において固形であることを特徴とする請求項１に記載の鋳型の製造方法。
【請求項３】
水蒸気として過熱蒸気を用いることを特徴とする請求項１又は２に記載の鋳型の製造方法。
【手続補正２】
【補正対象書類名】明細書
【補正対象項目名】００１０
【補正方法】変更
【補正の内容】
【００１０】
【課題を解決するための手段】
本発明に係る鋳型の製造方法は、フェノール樹脂系粘結剤を耐火骨材に混合して調製されるレジンコーテッドサンドを型内に充填し、この型内に蒸気圧が１．５〜１０ｋｇｆ／ｃｍ２の水蒸気を吹き込んで粘結剤を硬化させることを特徴とするものである。尚、本出願人はこの方法をスチームブロー成形法（Steam blow molding process）と呼んでいる。
【手続補正３】
【補正対象書類名】明細書
【補正対象項目名】００１１
【補正方法】変更
【補正の内容】
【００１１】
また請求項２の発明は、フェノール系樹脂粘結剤が室温において固形であることを特徴とするものである。
また請求項３の発明は、水蒸気として過熱蒸気を用いることを特徴とするものである。
【手続補正４】
【補正対象書類名】明細書
【補正対象項目名】００６８
【補正方法】変更
【補正の内容】
【００６８】
【発明の効果】
上記のように本発明は、フェノール系樹脂粘結剤を耐火骨材に混合して調製されるレジンコーテッドサンドを型内に充填し、この型内に蒸気圧が１．５〜１０ｋｇｆ／ｃｍ２の水蒸気を吹き込んで粘結剤を硬化させるようにしたので、水蒸気によって型内のレジンコーテッドサンドの全体を瞬時に加熱してフェノール系樹脂粘結剤を硬化させることができ、型を高温に加熱しておく必要なく、安定して短時間に鋳型を造型することができるものであり、しかも硬化剤や硬化触媒のような有害化学物質の蒸気を型内に吹き込む場合や、型を高温に加熱してフェノール系樹脂粘結剤を硬化させる場合のような、有害物質によって作業環境を悪化させるようなことがなくなるものである。
【手続補正書】
【提出日】平成17年8月18日(2005.8.18)
【手続補正１】
【補正対象書類名】明細書
【補正対象項目名】特許請求の範囲
【補正方法】変更
【補正の内容】
【特許請求の範囲】
【請求項１】  遊技基板の他に、メイン基板、払出制御基板、ランプ制御基板等を各々独立して設け、電源基板から前記各基板に給電を行う遊技機であって、
基板には、正常な給電が行われるとランプ表示をなす回路を付設してなることを特徴とする遊技機。
【請求項２】  基板に電源監視回路を経由して給電を行うことを特徴とする請求項１の遊技機。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】
所定の契機に基づき複数の図柄を変動表示可能な可変表示装置を備えるとともに、当該図柄の停止表示結果が特定の停止表示態様である場合に遊技者に有利な特別遊技状態を発生させる特別遊技状態発生手段を備えてなる遊技機において、
少なくとも前記図柄を複数の方向へ変動表示可能とするとともに、その図柄自身の向きを前記変動表示方向に対応させて表示するようにしたことを特徴とする遊技機。
【請求項２】  請求項１に記載の遊技機において、
前記特別遊技状態は、リーチ遊技状態を経て発生させられ、
前記図柄は、非対称形の絵図柄を含んでおり、
通常時においては、前記図柄が所定の一方向へ変動表示され、
前記リーチ遊技状態時においては、前記絵図柄が反転表示されて、前記図柄が前記一方向とは反対側の他方向へ変動表示されることを特徴とする遊技機。
【請求項３】  請求項１又は２に記載の遊技機において、
前記可変表示装置は、一種類又は複数種類のキャラクタをも変動表示しうるものであり、しかも、前記キャラクタの変動方向を、前記図柄自身の向きの変更に対応して変更させるようにしたことを特徴とする遊技機。
【請求項４】  請求項３に記載の遊技機において、
前記キャラクタの変動方向が変更させられるに際しては、当該キャラクタ自身の向きも変更表示するようにしたことを特徴とする遊技機。
【手続補正２】
【補正対象書類名】明細書
【補正対象項目名】００１２
【補正方法】変更
【補正の内容】
【００１２】
また、請求項２に記載の発明では、請求項１に記載の遊技機において、前記特別遊技状態は、リーチ遊技状態を経て発生させられ、前記図柄は、非対称形の絵図柄を含んでおり、通常時においては、前記図柄が所定の一方向へ変動表示され、前記リーチ遊技状態時においては、前記絵図柄が反転表示されて、前記図柄が前記一方向とは反対側の他方向へ変動表示されることをその要旨としている。また、請求項３に記載の遊技機では、請求項１又は２に記載の遊技機において、前記可変表示装置は、一種類又は複数種類のキャラクタをも変動表示しうるものであり、しかも、前記キャラクタの変動方向を、前記図柄自身の向きの変更に対応して変更させるようにしたことをその要旨としている。また、請求項４に記載の遊技機では、請求項３に記載の遊技機において、前記キャラクタの変動方向が変更させられるに際しては、当該キャラクタ自身の向きも変更表示するようにしたことをその要旨としている。
【手続補正３】
【補正対象書類名】明細書
【補正対象項目名】００１５
【補正方法】変更
【補正の内容】
【００１５】
また、請求項２に記載の発明によれば、請求項１に記載の発明の作用に加えて、前記図柄は、通常時においては、所定の一方向へ変動表示され、リーチ遊技状態時においては、前記一方向とは反対側の他方向へ変動表示される。従って、遊技者は、所定の場合に図柄が戻るような感覚を覚える。特に反対方向へ変動表示される場合には上記作用は顕著となる。これにより、変動中の図柄が所望の図柄にて停止せずに次の図柄に変動表示されてしまったとしても、その戻りによって再度所望の図柄にて停止するかもしれないといった期待感を抱きうる。また、このとき、非対称形の絵図柄が反転表示される。
請求項３に記載の発明によれば、可変表示装置において、一種類又は複数種類のキャラクタも変動表示されうる。しかも、キャラクタの変動方向が、前記図柄自身の向きの変更に対応して変更させられる。
請求項４に記載の発明によれば、前記キャラクタの変動方向が変更させられるに際しては、当該キャラクタ自身の向きも変更表示される。
【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
遊技盤(4) に設けられた図柄表示手段(18)と、図柄制御基板(21)とを備え、遊技盤(4) の裏側に、該遊技盤(4) の図柄表示手段(18)及び他の遊技部品を覆う裏カバー(31)を設け、該裏カバー(31)に、遊技制御基板(32)を収納する基板ケース(35)を着脱自在に設け、遊技制御基板(32)に設けられ且つ遊技内容に従って主に遊技盤(4) 側の制御を行う遊技制御手段(40)と、図柄制御基板(21)に設けられ且つ図柄表示手段(18)の１つ以上の図柄を変動制御する図柄制御手段(22)と、図柄表示手段(18)の変動後の停止図柄の結果により、遊技者に有利となる利益状態を発生させる機能とを備え、図柄制御手段(22)は予め定められた所定の変動態様で前記図柄を変動させるための変動制御指令を出す複数種類の変動制御指令機能を備え、遊技制御手段(40)は複数種類の変動制御指令機能の何れかを指定する簡略化された指令機能指定信号(S) を適宜出力する機能を備え、複数種類の変動制御指令機能の内、遊技制御手段(40)からの指令機能指定信号(S) により指定された変動制御指令機能に従って図柄表示手段(18)の前記図柄を制御する機能を備えたことを特徴とする遊技機の図柄制御装置。
【手続補正２】
【補正対象書類名】明細書
【補正対象項目名】０００９
【補正方法】変更
【補正の内容】
【０００９】
【課題を解決するための手段】
本発明は、遊技盤4 に設けられた図柄表示手段18と、図柄制御基板21とを備え、遊技盤4 の裏側に、該遊技盤4 の図柄表示手段18及び他の遊技部品を覆う裏カバー31を設け、該裏カバー31に、遊技制御基板32を収納する基板ケース35を着脱自在に設け、遊技制御基板32に設けられ且つ遊技内容に従って主に遊技盤4 側の制御を行う遊技制御手段40と、図柄制御基板21に設けられ且つ図柄表示手段18の１つ以上の図柄を変動制御する図柄制御手段22と、図柄表示手段18の変動後の停止図柄の結果により、遊技者に有利となる利益状態を発生させる機能とを備え、図柄制御手段22は予め定められた所定の変動態様で前記図柄を変動させるための変動制御指令を出す複数種類の変動制御指令機能を備え、遊技制御手段40は複数種類の変動制御指令機能の何れかを指定する簡略化された指令機能指定信号S を適宜出力する機能を備え、複数種類の変動制御指令機能の内、遊技制御手段40からの指令機能指定信号S により指定された変動制御指令機能に従って図柄表示手段18の前記図柄を制御する機能を備えたものである。
【手続補正３】
【補正対象書類名】明細書
【補正対象項目名】００６７
【補正方法】変更
【補正の内容】
【００６７】
【発明の効果】
本発明によれば、遊技盤4 に設けられた図柄表示手段18と、図柄制御基板21とを備え、遊技盤4 の裏側に、該遊技盤4 の図柄表示手段18及び他の遊技部品を覆う裏カバー31を設け、該裏カバー31に、遊技制御基板32を収納する基板ケース35を着脱自在に設け、遊技制御基板32に設けられ且つ遊技内容に従って主に遊技盤4 側の制御を行う遊技制御手段40と、図柄制御基板21に設けられ且つ図柄表示手段18の１つ以上の図柄を変動制御する図柄制御手段22と、図柄表示手段18の変動後の停止図柄の結果により、遊技者に有利となる利益状態を発生させる機能とを備え、図柄制御手段22は予め定められた所定の変動態様で前記図柄を変動させるための変動制御指令を出す複数種類の変動制御指令機能を備え、遊技制御手段40は複数種類の変動制御指令機能の何れかを指定する簡略化された指令機能指定信号S を適宜出力する機能を備え、複数種類の変動制御指令機能の内、遊技制御手段40からの指令機能指定信号S により指定された変動制御指令機能に従って図柄表示手段18の前記図柄を制御する機能を備えているので、図柄表示手段22の図柄の変動態様を容易且つ安価に変更できると共に、検定機関等での変更後の検査に際してもその検査を容易にでき、しかも遊技制御手段40から図柄表示手段18側へと伝送するデーター量を少なくでき、データーの伝送ミス等のトラブルの発生を極力少なくできる利点がある。
【手続補正４】
【補正対象書類名】明細書
【補正対象項目名】００６８
【補正方法】削除
【補正の内容】
【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】
回転するローターの周囲にハンマーを設け、該ハンマーにより板材を粉砕する粉砕機において、
前記ハンマーを設けたローターを外部より遮断するケーシングと、該ケーシング内部に前記板材を供給するフィード口とを備え、
粉砕された前記板材の粉粒が滞留して前記ローター周囲を循環したものが、前記フィード口から供給される前記板材上に衝突するのを防止するための遮蔽板を設けた事を特徴とする粉砕機。
【請求項２】
前記ハンマーの先端で、該ハンマーが前記板材を粉砕するときに該板材を撃打する打撃部と反対側に、該板材との接触を避けるための切り欠き部を設けた事を特徴とする請求項１に記載の粉砕機。
【手続補正２】
【補正対象書類名】明細書
【補正対象項目名】００１５
【補正方法】変更
【補正の内容】
【００１５】
また、回転するローターの周囲にハンマーを設け、そのハンマーにより板材を粉砕する粉砕機において、前記ハンマーを設けたローターを外部より遮断するケーシングと、そのケーシング内部に前記板材を供給するフィード口とを備え、粉砕された前記板材の粉粒が滞留して前記ローター周囲を循環したものが、前記フィード口から供給される前記板材上に衝突するのを防止するための遮蔽板を設けた構成とする。
【手続補正書】
【提出日】平成16年8月20日(2004.8.20)
【手続補正１】
【補正対象書類名】明細書
【補正対象項目名】００２３
【補正方法】変更
【補正の内容】
【００２３】
（ｂ）成分の周期表２族（以下、２族と略す）、３族（以下、３族と略す）及びランタノイド金属の酸化物、又はこれらの前駆体（以下、第３成分ということがある）を用いる目的は、本発明の触媒に耐硫黄被毒性を付与することにある。
すなわち、本発明の触媒の活性成分であるルテニウムは、水蒸気改質反応時の炭素析出抑制性に優れるが、一旦、硫黄に被毒されると、この特性が弱まり、硫黄被毒と炭素析出の両面から触媒性能が損なわれるが、（ｂ）成分は、この硫黄被毒を防止し、触媒性能を維持することができる。
【手続補正２】
【補正対象書類名】明細書
【補正対象項目名】００５２
【補正方法】変更
【補正の内容】
【００５２】
また、担体に不溶・固定化したルテニウム種、すなわち還元処理前のルテニウム種は、水酸化物であり、この水酸化ルテニウムは、６０〜８０℃程度の低い温度領域で金属ルテニウムまで還元されるが、極めて微粒子状の活性金属の場合、極一部の活性点が熱履歴を受けることも考えられる。
従って、本発明では、実プラントで長期間安定した触媒性能が保持できるように、ルテニウム種の還元温度を、還元温度としては比較的低めの６００〜９５０℃、好ましくは７００〜９００℃、より好ましくは８００〜９００℃とする。
９５０℃を越える高温で還元を行うと、ルテニウム金属の凝集やシンタリングによる金属表面積の減少の外に、担体の細孔の閉塞、あるいはアルミナのα相への転移が起こり始めるため、触媒活性が著しく低下する。
還元用ガスは、水素ガス、水素・水蒸気混合ガス、一酸化炭素等を用いることができる。中でも、水素ガスや水素・水蒸気混合ガスが好ましく、水素ガスが特に好ましい。
還元時間は、還元温度、還元用ガスの通気量等の条件に応じて適宜選択すればよいが、１〜２０時間程度が実用的である。
【手続補正書】
【提出日】平成17年8月15日(2005.8.15)
【手続補正１】
【補正対象書類名】明細書
【補正対象項目名】００２１
【補正方法】変更
【補正の内容】
【００２１】
引き続き、温湿度調節機構４の第１スプレー機構４２から水蒸気を清浄空気に向けて噴霧し、水蒸気で清浄空気を一旦飽和状態にした後、冷却コイル４３で清浄空気を所定温度まで冷却し、清浄空気を所定の露点に調節する。次いで、清浄空気を第２予熱コイル４４によってクリーンルーム８内で要求される温度及び湿度に調節し、この清浄空気をダクト７を介してクリーンルーム８のプレナムチャンバー８２へ供給する。上述のように第１スプレー機構４２で水蒸気の飽和状態を作ることにより、冷却コイル４３の機能を安定化し、露点を確実に検出し、第２予熱コイル４４による湿度コントロールを安定化している。その後、清浄空気はＵＬＰＡフィルタ８６を経由してクリーンルーム８内を下降流で通過し、フリーアクセスフロア８３を通り、ダクトチャンバー８４及びリターンダクト８５を介してプレナムチャンバー８２へ戻り、クリーンルーム８内を循環する。また、クリーンルーム８内の清浄空気の温度を温度検出器（図示せず）によって検出し、この検出値に基づいて第２予熱コイル４４の自動バルブ４４Ａが作動し、水蒸気量の加減により外調機１から吹き出す清浄空気をクリーンルーム８内の温度に見合った温度に調節する。
【手続補正２】
【補正対象書類名】図面
【補正対象項目名】図１
【補正方法】変更
【補正の内容】
【図１】
2000061246.tif 000001
【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
ブラウン管用ガラスファンネルを回転させながら、該ファンネルのシールエッジ面を複数枚のホイール状研削砥石で研削する装置において、前記ファンネルのヨーク部内側を吸着することにより、ファンネルを取付け台に固定するようになっており、かつ該取付け台が自在継手を介してベースプレートに取り付けられていることを特徴とするブラウン管用ガラスファンネル研削装置。
【請求項２】
取付け台を前記自在継手を中心とした任意の方向に傾けるための押圧機構が、前記ベースプレートと取付け台との間に設けられており、ファンネルのネック中心軸を任意の方向に調整できる請求項１に記載のブラウン管用ガラスファンネル研削装置。
【請求項３】
ブラウン管用ガラスファンネルを回転させながら、該ファンネルのシールエッジ面を複数枚のホイール状研削砥石で研削する装置であって、ベースプレートに自在継手を介して装着されており、ファンネルのヨーク部内側を吸着支持し回転を伝えるためのボディ内面テーブルを装備している取付け台と、該取付け台に直立しているネックシャフトの先端に設けたネックチャックと、前記取付け台に固定されたファンネルのヨーク部外側を押圧するためのヨーク押さえと、取付け台の下面側に作用して取付け台を動作させることができるように前記ベースプレートと取付け台との間に配置された押圧機構とを具備し、ファンネルのヨーク部内側を前記ネックチャックとボディ内面テーブルで遮蔽して真空にすることにより、ファンネルを取付け台に固定するようになっており、かつ該取付け台が前記押圧機構により上下方向にスライドするとともに、前記自在継手を中心に傾斜して、研削時のファンネルを所望の姿勢に保持できるように構成したことを特徴とするブラウン管用ガラスファンネル研削装置。
【請求項４】
前記押圧機構が、ベースプレート上に配置され且つ自在継手の周辺に等間隔で配置された複数のエアシリンダからなる請求項２または３に記載のブラウン管用ガラスファンネル研削装置。
【手続補正書】
【提出日】平成17年3月15日(2005.3.15)
【手続補正１】
【補正対象書類名】明細書
【補正対象項目名】０００３
【補正方法】変更
【補正の内容】
【０００３】
また、別の実装方法として、例えば、液状の熱硬化樹脂をスクリーン印刷法を用いて配線板上に塗布し、ベアチップを配線板上に実装する方法がある。
【手続補正２】
【補正対象書類名】明細書
【補正対象項目名】００１２
【補正方法】変更
【補正の内容】
【００１２】
【発明の実施の形態】
以下、図面を参照して本発明の一実施の形態について説明する。図１は、本発明の一実施の形態による電子部品の実装方法の一工程を示す断面図である。つまり、図１は、電子部品であるベアチップ１２自体の塗布面１２ａ上に熱硬化樹脂１３がスクリーン印刷法を用いて塗布される状態を示す断面図である。ボンディングツール１８に固定支持されたベアチップ１２は、その塗布面１２ａを上にされる。この塗布面１２ａには、電極（バンプ）１５が設けられている。塗布面１２ａの周囲には平坦なメタルマスク１７が配置されている。熱硬化樹脂１３が、このメタルマスク１７上に載せられ、スキージ１９によりのばされて、バンプ１５を含む塗布面１２ａ上に塗布される。
【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  麻雀卓の上面中央に表示装置を具え、
前記表示装置の周囲に複数個のスイッチが配設され、
前記表示装置にゲーム進行に必要な種々の情報が表示され、
前記複数個のスイッチによりゲーム進行に必要な種々の情報が入力される麻雀卓であって、
前記複数個のスイッチの機能がゲームの状況に応じて変更され、
前記複数個のスイッチの中でゲームの状況に応じて操作可能なスイッチが明示される、
麻雀卓。
【請求項２】  前記複数個のスイッチが自照式スイッチあるいはインディケータ付スイッチであり、その時に操作可能なスイッチが前記自照ランプあるいは前記インディケータにより明示される、請求項１の麻雀卓。
【請求項３】  前記表示装置にその時に操作可能なスイッチを示す表示がなされる、請求項１の麻雀卓。
【請求項４】  荘家の席に場の風が表示される、請求項１の麻雀卓。
【請求項５】  席決め時に、前記画面に風牌の背面が表示され、表示された前記風牌が回転し、その後停止することにより、席が決定される、請求項１の麻雀卓。
【請求項６】  配牌開始時に、前記画面に最初に牌を取り出す位置が指示される、請求項１の麻雀卓。
【請求項７】  麻雀卓の上面中央に表示装置を具え、
前記表示装置の上に複数個のタッチパネルスイッチが配設され、
前記表示装置にゲーム進行に必要な種々の情報が表示され、
前記タッチパネルスイッチによりゲーム進行に必要な種々の情報が入力される麻雀卓であって、
前記タッチパネルスイッチの機能がゲームの状況に応じて変更され、
前記複数個のタッチパネルスイッチの中でゲームの状況に応じて操作可能なスイッチが明示される、
麻雀卓。
【請求項８】  荘家の席に場の風が表示される、請求項７の麻雀卓。
【請求項９】  席決め時に、前記画面に風牌の背面が表示され、表示された前記風牌が回転し、その後停止することにより、席が決定される、請求項７の麻雀卓。
【請求項１０】  配牌開始時に、前記画面に最初に牌を取り出す位置が指示される、請求項７の麻雀卓。
【手続補正２】
【補正対象書類名】明細書
【補正対象項目名】００１１
【補正方法】変更
【補正の内容】
【００１１】
このような状況に鑑み、本発明者は特開平７−２３６７６８号公報においてゲームを行うために必要な各種の表示を行うとともにルールの確認作業に用いることができるように、麻雀卓の上面中央に表示装置を具え、前記表示装置の周囲にボタンスイッチが設けられ、前記表示装置にはゲーム進行に必要な種々の情報が表示されるとともに前記表示装置の周囲に設けられたボタンスイッチによりゲーム進行に必要な種々の情報が入力される麻雀卓の発明及び麻雀卓の上面中央に表示装置を具え、あるいは前記表示装置の上にタッチパネルスイッチが設けられ、前記表示装置にはゲーム進行に必要な種々の情報が表示されるとともに前記表示装置の上に設けられたタッチパネルスイッチによりゲーム進行に必要な種々の情報が入力される麻雀卓の発明を開示した。
この麻雀卓は麻雀卓の上面中央に表示装置とボタンスイッチを具えており、この表示装置に種々の情報を表示するとともにボタンスイッチにより種々の情報がコンピュータに入力される。
【手続補正３】
【補正対象書類名】明細書
【補正対象項目名】００３１
【補正方法】変更
【補正の内容】
【００３１】
本願において提供する発明は表示装置及びゲーム情報入力用ボタンスイッチが設けられていることが発明の出発点であるため、この要素は必須のものであるが、その他の要素すなわち、麻雀牌自動築牌装置，麻雀牌自動読み取り装置，麻雀点数自動計数装置及び点数プリンタは必須のものではない、を採用した先行技術の自動麻雀卓上面である。
しかし、以下に説明する実施例の自動麻雀卓はこれらの自動化装置すべてが備えられている。
【手続補正４】
【補正対象書類名】明細書
【補正対象項目名】００３８
【補正方法】変更
【補正の内容】
【００３８】
図３及び図４を用いて、第１実施例の動作を説明する。
図３（ａ）に示されたのは麻雀卓の使用を開始する前の状態であり、この時麻雀牌自動築牌装置操作用ボタンスイッチ９は自動麻雀卓使用開始入力用ボタンスイッチの機能を有しており、表示装置１７の画面上に表示された矢印２３により２個のボタンスイッチ９が自動麻雀卓使用開始入力用ボタンスイッチであることが示される。
なお、以後説明される矢印表示は点滅させることが好ましい。
また、ボタンスイッチは自照式あるいはインディケータ付のものを使用し、使用可能なボタンスイッチをランプあるいはインディケータによって明示させることが好ましい。
【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  バックミラー領域を含む画像を生成する画像生成装置であって、
撮影されたプレーヤ画像を取り込むプレーヤ画像取り込み手段と、
前記撮影されたプレーヤの画像に基づき、プレーヤ画像の少なくとも一部が前記バックミラー領域に表示された画像を生成する画像生成手段とを含むことを特徴とする画像生成装置。
【請求項２】  バックミラー領域を含むゲーム画像が表示部に表示されるゲーム装置であって、
プレーヤを撮影する撮影手段と、
撮影されたプレーヤの画像に基づき、表示部に表示するためのゲーム画像を生成する画像生成手段を含み、
前記画像生成手段が、
撮影されたプレーヤの画像の少なくとも一部が前記バックミラー領域に表示された画像を生成することを特徴とするゲーム装置。
【請求項３】  請求項２において、
前記撮影手段が、
プレーヤの動画像を撮影し、
前記画像生成手段が、
前記プレーヤの動画像が前記バックミラー領域に表示された画像を生成することを特徴とするゲーム装置。
【請求項４】  請求項２又は３のいずれかにおいて、
前記画像生成手段が、
プレーヤ画像の右部分又は左部分が前記バックミラー領域の左端部又は右端部に表示された画像を生成することを特徴とするゲーム装置。
【請求項５】  バックミラー領域を含む画像を生成するためのプログラムが記憶されたコンピュータが読みとり可能な情報記憶媒体であって、
撮影されたプレーヤの画像を取り込むプレーヤ画像取り込み手段と、
前記撮影されたプレーヤの画像に基づき、プレーヤの画像の少なくとも一部が前記バックミラー領域に表示された画像を生成する画像生成手段と、してコンピュータを機能させるためのプログラムとを含むことを特徴とする情報記憶媒体。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】  従動回転自在に支持されベニヤ単板を巻き付けるマガジンロールと、
マガジンロールの下方に位置し、マガジンロールの軸中心線の方向に適宜間隔を置いて設けられ該軸中心線の方向と直交する方向で各々が同じ向きに駆動走行させられる複数本のベルトと、
各ベルトに備えられ、各ベルトを所定の力でマガジンロールに圧接させる圧接部材と、
マガジンロールと全てのベルトとの間隔を変更する間隔変更部材と、
マガジンロールに巻き取られ巻玉状となったベニヤ単板の半径を検出する巻玉半径検出部材と、
巻玉半径検出部材から検出される半径が所定量となるとマガジンロールと全てのベルトとの間隔を広げる様に間隔変更部材に作動信号を出しまた広げられた該間隔が設定量となると間隔変更部材に作動停止信号を出す制御装置と
を備えたベニヤ単板の巻取装置。
【手続補正２】
【補正対象書類名】明細書
【補正対象項目名】０００５
【補正方法】変更
【補正の内容】
【０００５】
【課題を解決するための手段】
本発明はこれら問題を解決するために、従動回転自在に支持され単板を巻き付けるマガジンロールと、マガジンロールの下方に位置し、マガジンロールの軸中心線の方向に適宜間隔を置いて設けられ該軸中心線の方向と直交する方向で各々が同じ向きに駆動走行させられる複数本のベルトと、各ベルトに備えられ、各ベルトを所定の力でマガジンロールに圧接させる圧接部材と、マガジンロールと全てのベルトとの間隔を変更する間隔変更部材と、マガジンロールに巻き取られ巻玉状となった単板の半径を検出する巻玉半径検出部材と、巻玉半径検出部材から検出される半径が所定量となるとマガジンロールと全てのベルトとの間隔を広げる様に間隔変更部材に作動信号を出しまた広げられた該間隔が設定量となると間隔変更部材に作動停止信号を出す制御装置とを備えて構成する。尚、ロールの軸中心線とは、ロールの回転中心を結ぶ仮想線即ちロールの長手方向と直交する各断面での回転中心を結ぶ仮想線を指す。
【手続補正３】
【補正対象書類名】明細書
【補正対象項目名】０００６
【補正方法】削除
【補正の内容】